(57)【特許請求の範囲】
【請求項１】
静磁場を発生する静磁場磁石、傾斜磁場を発生させる傾斜磁場コイル及びＲＦパルスを
送信又は受信するＲＦコイルを収容すると共に、被検者を挿入するための円筒状の開口部
を有するガントリと、
前記被検者を前記開口部へ挿入するために前記被検者を載置する天板を有する寝台と、
寝台側とは前記開口部を挟んで反対側の反寝台側の前記開口部内又は前記反寝台側の前
記開口部外から前記開口部内を照明可能な位置に設けられ、前記開口部内に向かって照明
を行なう第１の照明手段と、
前記寝台側の開口部内に設けられ、前記第１の照明手段からの照明によって前記開口部
内の段差によって前記寝台側の開口部入り口付近に生じる影に向かって照明を行なう第２
の照明手段と、
を備えることを特徴とするＭＲＩ装置。
【請求項２】
前記第１の照明手段及び前記第２の照明手段に設定される照明パターンを、検査内の各
過程に組み合わせることによって前記検査毎の照明パターン群を設定する照明パターン群
設定部と、
前記照明パターン群を記憶する記憶部と、をさらに備え、
前記検査前に前記照明パターン群を選択し、前記検査中に前記過程に相当する前記照明
パターンによって照明を行なう構成とすることを特徴とする請求項１に記載のＭＲＩ装置
。
【請求項３】
前記照明パターンは、前記第１の照明手段及び前記第２の照明手段毎に設定される発光
色、光量及び光り方のうち少なくとも一方の組み合わせによって構成されることを特徴と
する請求項２に記載のＭＲＩ装置。
【発明の詳細な説明】
【技術分野】
【０００１】
本発明は、磁気共鳴現象を利用して被検者の解剖学的情報や、生化学的情報を得るＭＲＩ（ｍａｇｎｅｔｉｃ  ｒｅｓｏｎａｎｃｅ  ｉｍａｇｉｎｇ）装置に関する。
【背景技術】
【０００２】
ＭＲＩ装置として、磁気共鳴現象を利用して、被検者中の所望の検査部位における核スピンの密度分布、緩和時間分布を、計測対象から発せられる信号を計測して、断層像として画像表示するものが知られている。このＭＲＩ装置のガントリに形成されている被検者が挿入されるガントリの開口部（空間）は、被検者が入り得る程度の大きさしか有していないため、これから検査を受ける被検者に不安感を与えてしまう恐れがある。
【０００３】
そこで、ＭＲＩ装置には、ガントリを照明するための照明機器が備えられている（例えば、特許文献１参照。）。
【先行技術文献】
【特許文献】
【０００４】
【特許文献１】特開２００６−１１００４３号公報
【発明の概要】
【発明が解決しようとする課題】
【０００５】
しかしながら、特開２００６−１１００４３号公報に記載されているような照明機器では、開口部を照明して、開口部内やガントリを明るくてらすことは出来るものの、被検者が開口部内に挿入される前の不安感や開口部内部に入ったときの居住性の快適感は十分に得られていない。
【０００６】
本発明は、上述した事情を考慮してなされたもので、被検者の安心感や快適感を向上させることができるＭＲＩ装置を提供することを目的とする。
【課題を解決するための手段】
【０００８】
また、本発明に係るＭＲＩ装置は、上述した課題を解決するために、静磁場を発生する
静磁場磁石、傾斜磁場を発生させる傾斜磁場コイル及びＲＦパルスを送信又は受信するＲ
Ｆコイルを収容すると共に、被検者を挿入するための円筒状の開口部を有するガントリと
、前記被検者を前記開口部へ挿入するために前記被検者を載置する天板を有する寝台と、
寝台側とは前記開口部を挟んで反対側の反寝台側の前記開口部内又は前記反寝台側の前記
開口部外から前記開口部内を照明可能な位置に設けられ、前記開口部内に向かって照明を
行なう第１の照明手段と、前記寝台側の開口部内に設けられ、前記第１の照明手段からの
照明によって前記開口部内の段差によって前記寝台側の開口部入り口付近に生じる影に向
かって照明を行なう第２の照明手段と、を備える。
【発明の効果】
【０００９】
本発明に係るＭＲＩ装置によると、被検者の安心感や快適感を向上させることができる。
【図面の簡単な説明】
【００１０】
【図１】本実施例のＭＲＩ装置を示す構成図。
【図２】ＭＲＩ装置を用いた足部検査内の各過程に照明パターンを組み合わせて成る足部検査内の照明パターン群の概要を示す図。
【図３】ＭＲＩ装置を用いた頭部検査内の各過程に照明パターンを組み合わせて成る頭部検査内の照明パターン群の概要を示す図。
【図４】本実施例のＭＲＩ装置を構成する開口部を、寝台側から見た斜視図。
【図５】本実施例のＭＲＩ装置を構成する開口部を、反寝台側から見た斜視図。
【図６】本実施例のＭＲＩ装置を構成する開口部を示す側面図。
【図７】は、ＭＲＩ装置を用いた一検査内の各過程に照明パターンを組み合わせて成る一検査内の照明パターン群の一例を示す図。
【図８】本実施例のＭＲＩ装置を構成する照明手段の一例を、開口部の寝台側から見た斜視図。
【図９】本実施例のＭＲＩ装置を構成する照明手段の一例を、開口部の寝台側から見た斜視図。
【図１０】本実施例のＭＲＩ装置を構成する照明手段の一例を、開口部の反寝台側から見た斜視図。
【図１１】従来のＭＲＩ装置の照明の配置を示す図。
【発明を実施するための形態】
【００１１】
本発明に係るＭＲＩ装置の実施例を、図１乃至図１１を参照して説明する。
【００１２】
図１は、本実施例のＭＲＩ装置の構成を示す図である。
【００１３】
図１に示すように、本実施例のＭＲＩ装置は、ガントリ１とそのガントリ１に被検者が挿入されるための挿入空間を有する開口部を有し、静磁場磁石２、冷却系制御部３、傾斜磁場コイル４、ＲＦ（ｒａｄｉｏ  ｆｒｅｑｕｅｎｃｙ）コイル５、傾斜磁場コイル駆動部６、送信部７、受信部８、冷却部９、演算装置１０、照明用電源１２、照明制御部１３及び表示部２６を備えている。
【００１４】
静磁場磁石２は、静磁場を発生する磁石であり、一様な静磁場を発生する。この静磁場磁石２には、例えば永久磁石、超伝導磁石等が使用される。これらは、例えば冷却部９のような冷却系によって冷却され、真空層及び円筒状の筐体によって外部と隔離されている。
【００１５】
冷却系制御部３は、静磁場磁石２や傾斜磁場コイル４、ＲＦコイル５等を冷却するための冷却部９を制御するものである。
【００１６】
傾斜磁場コイル４は、静磁場磁石２よりも短軸な磁場コイルであり、静磁場磁石２の内側に設けられる。傾斜磁場コイル４は、傾斜磁場コイル駆動部６から供給されるパルス電流に基づいて、互いに直交する三方向に線形傾斜磁場分布を持つ傾斜磁場を形成する。この傾斜磁場コイル４が発生する傾斜磁場によって、信号発生部位（位置）が特定される。
【００１７】
ＲＦコイル５は、撮像領域に対して、磁気共鳴信号を発生させるための高周波パルスを発生するコイルである。また、例えば腹部等を撮影する場合には、受信コイルとしても使用されてもよい。例えば、ＲＦコイル５は全身用コイル（ＷＢコイル）である。
【００１８】
傾斜磁場コイル駆動部６は、傾斜磁場を形成するためのパルス電流を発生し、傾斜磁場コイル４に供給する。また、傾斜磁場コイル駆動部６は、制御部１４の制御に従って、傾斜磁場コイル４に供給するパルス電流の向きを切替えることにより、傾斜磁場の極性を制御する。
【００１９】
送信部７は、発振部、位相選択部、周波数変換部、振幅変調部及び高周波電力増幅部（それぞれ図示せず）を有しており、ラーモア周波数に対応する高周波パルスをＲＦコイル５に送信する。この送信に従ってＲＦコイル５から発生した高周波によって、被検者中の検査部位の所定原子核の磁化は、励起状態となる。
【００２０】
受信部８は、増幅部、中間周波数変換部、位相検波部、フィルタ及びＡ／Ｄ（ａｎａｌｏｇ  ｔｏ  ｄｉｇｉｔａｌ）変換器（それぞれ図示せず）を有し、各レシーバから受信した各磁気共鳴信号（高周波信号）に対して、個別に所定の信号処理を施す。すなわち、受信部８は、核の磁化が励起状態から基底状態に緩和するとき放出する磁気共鳴信号に対して、増幅処理、発信周波数を利用した中間周波数変換処理、位相検波処理、フィルタ処理、Ａ／Ｄ変換処理を施す。
【００２１】
照明用電源１２は、被検者を挿入するための開口部内に備えられた後述する各照明手段１６乃至１９の光源１５へ電力を出力する。
【００２２】
照明制御部１３は、制御部１４からの指示に従って、照明用電源１２への出力電力を制御し、各照明手段の照明内容を調整する。ここで、照明内容とは、照明手段の発光色、光量及び光り方のうち少なくとも１つを指す。なお、照明用電源１２はガントリの外に設けることによって、電源のＯＮ／ＯＦＦ等による磁場の乱れや画像への影響を抑えるようにしてもよい。
【００２３】
また、演算装置１０は、記憶部２０、制御部１４、照明パターン設定部２１、照明パターン群設定部２２、データ収集部２３、再構成部２４及び入力部２５を有している。
【００２４】
記憶部２０は、受信部８を介して得られた再構成前の磁気共鳴信号データ再構成後の磁気共鳴画像データ等を被検者毎に記憶したり、照明手段毎に照明内容を記憶したり、照明パターン設定部２１によって設定される照明パターンを記憶したり、照明パターン群設定部２２によって設定される一検査内の照明パターン群を記憶したりする。
【００２５】
照明パターン設定部２１は、照明手段毎に照明内容を組み合わせて、複数の照明手段単位で照明パターンを設定する。
【００２６】
照明パターン群設定部２２は、照明パターン設定部２１によって設定される複数の照明手段単位の照明パターンを、一検査内の各過程にそれぞれ組み合わせて、一検査内の照明パターン群を設定する。
【００２７】
図２及び図３は、ＭＲＩ装置を用いた一検査内の各過程に照明パターンを組み合わせて成る一検査内の照明パターン群の概要を示す図である。
【００２８】
図２は、ＭＲＩ装置を用いた足部検査を、被検者の入室から被検者を天板上に載置するまでの過程（第１過程）、第１過程終了後から天板の上昇が終了するまでの過程（第２過程）、天板の撮像位置への挿入の過程（第３過程）及び被検者内の検査部位の撮像中の過程（第４過程）に分けた場合の各過程に、照明パターン設定部２１によって設定される照明パターンを組み合わせて成る足部検査内の照明パターン群の概要を示している。足部検査内の照明パターン群は、足部検査内の過程毎の照明パターンを組み合わせて構成される。また、足部検査内の過程毎の照明パターンは、照明手段毎の照明内容（発光色、光量及び光り方）を組み合わせて構成される。
【００２９】
図３は、ＭＲＩ装置を用いた頭部検査を、第１過程、第２過程、第３過程及び第４過程に分けた場合の各過程に、照明パターン設定部２１によって設定される照明パターンを組み合わせて成る頭部検査内の照明パターン群の概要を示している。
【００３０】
なお、図２及び図３において、本実施例ではＭＲＩ装置を用いた検査を４つの過程に分けるが、４つの過程に限定されるものではない。また、図２及び図３は、ＭＲＩ装置を用いた検査として、開口部への被検者の挿入を足部側から行なう手法（ｆｅｅｔ  ｆｉｒｓｔ）を用いる場合を例示するが、開口部への被検者の挿入を頭部側から行なう手法（Ｈｅａｄ  ｆｉｒｓｔ）を用いる場合であっても応用できる。
【００３１】
また、図１に示すデータ収集部２３は、受信部８によってサンプリングされたデジタル信号を収集する。
【００３２】
再構成部２４は、後処理すなわちフーリエ変換等の再構成を実行し、被検者の検査部位内の所望の核スピンのスペクトラムデータあるいは画像データを求める。
【００３３】
入力部２５は、オペレータからの各種指示・命令・情報をとりこむため入力装置（マウスやトラックボール、モード切替スイッチ、キーボード等）を有している。
【００３４】
制御部１４は、図示していないプロセッサとしてのＣＰＵ（ｃｅｎｔｒａｌ  ｐｒｏｃｅｓｓｉｎｇ  ｕｎｉｔ）、メモリ等を有しており、システム全体の制御中枢として、ＭＲＩ装置を静的又は動的に制御する。なお、演算装置１０の構成要素２１乃至２４の全部又は一部は、制御部１４の機能としてソフトウェア的に構成されるものであってもよいし、回路によって構成されるものであってもよい。
【００３５】
表示部２６は、制御部１４を介して演算装置１０から入力したスペクトラムデータあるいは画像データ等を表示する出力装置である。
【００３６】
また、ＭＲＩ装置は、被検者をガントリの開口部へ挿入するために被検者を載置する天板を有する寝台（図示せず）を備える。なお、以下、開口部の挿入方向において、ガントリ１から見て寝台が配置される側を寝台側、寝台が配置されない側を反寝台側と言う。
【００３７】
次に、図４乃至図１０を参照して、支持部３１に備えられた照明手段の配置を詳細に説明する。図４は、本実施例のＭＲＩ装置を構成する開口部を、寝台側から見た斜視図である。図５は、本実施例のＭＲＩ装置を構成する開口部を、反寝台側から見た斜視図である。
【００３８】
まず、ＭＲＩ装置は、図４又は図５にあるように、ガントリ１に有する開口部内の寝台側から反寝台側に向かって、照明手段としての空間内寝台側照明１６と空間内側面照明１７と空間内反寝台側照明１８を備えている。さらに、ＭＲＩ装置は、図４又は図５にあるように、反寝台側の開口部外から開口部内を照明可能な位置に、照明手段としての反寝台側照明１９を備えている。
【００３９】
各照明手段１６乃至１９は、天板が挿入される支持部３１に設けられたレール２５部分よりも開口部壁よりに備えられている。より好適には、各照明手段１６乃至１９は、寝台側から反寝台側に向かって支持部３１上におよそ一直線上に備えられる。各照明手段１６乃至１９がほぼ一直線状に備えられることにより、照明による凹凸や被検者の圧迫感を抑えるという効果がある。以下、各照明手段１６乃至１９が、寝台側から反寝台側に向かって支持部３１上におよそ一直線上に備えられる場合を例にとって説明する。
【００４０】
また、より好適には、開口部内に備えられる各照明手段１６乃至１８は、開口部内の下半分の領域に備えられる。各照明手段１６乃至１８が開口部の下側半分に備えられることにより、被検者の挿入空間を広く確保でき、また、ＲＦコイル５の電磁波の影響が抑えられるという効果がある。以下、各照明手段１６乃至１８が、開口部内の下半分の領域に備えられる場合を例にとって説明する。
【００４１】
ここで、被検者を挿入するための開口部の直径や天板の大きさ・高さ等の条件によって、開口部内に備えられる各照明手段１６乃至１８（各照明手段１６乃至１９がおよそ同一線上に備えられる場合は照明手段１９も含む）の天板との高さ関係が変わってくる。例えば、開口部の直径が約５０乃至６０ｃｍである場合、概して、天板より下方に各照明手段１６乃至１８が備えられる配置となる。一方、開口部の直径が約６０ｃｍより大きい場合、概して、天板より上方に各照明手段１６乃至１８が備えられる配置となる。以下、天板より上方に各照明手段１６乃至１８が備えられる配置となる場合を例にとって説明する。
【００４２】
空間内寝台側照明１６は、開口部内の寝台側であって支持部３１上に備えられるものである。空間内寝台側照明１６は、反寝台側照明１９等による光で影が出来るのを防ぐ機能、すなわち、反寝台側照明１９等の補助照明としての機能を有する。空間内寝台側照明１６は、三色（ＲＧＢ）発光のＬＥＤ（ｌｉｇｈｔ  ｅｍｉｔｔｉｎｇ  ｄｉｏｄｅ）ランプであることが好適である。なお、空間内寝台側照明１６は、白色発光のＬＥＤランプ等であってもよい。
【００４３】
また、空間内寝台側照明１６は、複数のＬＥＤランプを所定形状に平面的に配置したＬＥＤパネルによって形成されていてもよい。この場合、複数のＬＥＤランプが一度に光るだけではなく、照明制御部１３による制御によってパターンを持たせて複数のＬＥＤランプを別々に光らせたり、発光色及び光量を変えたりすることも可能である。
【００４４】
開口部内に段差がない場合に関しては、空間内寝台側照明１６は開口部入り口３４付近を照明し、開口部内に段差がある場合は、その凹凸部分を照明する。さらに、図４又は図５にあるように、開口部を広く取るために開口部内にＲＦコイル５がせり出している場合には、そのテーパ部３３を照明する。例えば、図６は本実施例による開口部の照明の状態を開口部の側面から見た図であり、図６の反寝台側照明１９からの照明の幅を示す照明方向ｄによる光は、ＲＦコイル５のカバーのテーパ部３３に生じる影を、空間内寝台側照明１６による照明の幅を示す照明方向ａが打ち消すことによって、従来のような影（図１１に示すような従来技術のＭＲＩ装置に備える照明手段１００による影Ｓ）が生まれることを防ぐことができる。
【００４５】
空間内側面照明１７は、開口部内であって支持部３１上に設けられるものである。空間内側面照明１７は、図６にあるように離れた位置、例えばガントリ１の下部等に天板の長手方向に延在される光源１５の光を、開口部内の側面３５に沿って設けられた光伝導部材に伝えることで、開口部内の側面３５を照明の幅を示す照明方向ｂのように照明する構成をしている。これにより、複数の光源をライン上に並べた構成に対して、やわらかい光の照明を確立することができる。
【００４６】
又は、空間内側面照明１７を、開口部内の側面３５に沿って複数の三色発光のＬＥＤランプを並べて配置することによってライン状のＬＥＤパネルとし、開口部壁を間接照明の要領で照らすように構成する。この場合、複数のＬＥＤランプが一度に光るだけではなく、照明制御部１３による制御によってパターンを持たせて複数のＬＥＤランプを別々に光らせたり、発光色及び光量を変えたりすることも可能である。
【００４７】
空間内反寝台側照明１８は、図５にあるように、開口部内の反寝台側であって支持部３１上に設けられるものである。また、空間内反寝台側照明１８は、反寝台側から開口部内を照らすものであり、図６の空間内反寝台側照明１８からの照明の幅を示す照明方向ｃで分かるように開口部内を照明するように配置されている。空間内反寝台側照明１８は、三色発光のＬＥＤランプであることが好適である。なお、空間内反寝台側照明１８は、白色発光のＬＥＤランプ等であってもよい。
【００４８】
また、空間内反寝台側照明１８は、ＬＥＤランプを所定形状に平面的に配置したＬＥＤパネルによって形成されていてもよい。この場合、照明制御部１３による制御によって発光色、光量や光り方を調整することも可能である。
【００４９】
反寝台側照明１９は、図４又は図５にあるように、反寝台側の開口部外であって支持部３１上に設けられるものである。また、反寝台側照明１９は、最も反寝台側から開口部内を照らすものであり、図６の反寝台側照明１９からの照明の幅を示す照明方向ｄで分かるように、開口部内を照明するように配置されている。しかし、反寝台側照明１９は支持部３１ではなく、ＭＲＩ装置が設置される検査室内であって反寝台側から開口部内を照明可能な位置に備えてもよい。また、反寝台側照明１９は、後述のサバンナ効果を大きくするために、蛍光ランプ又は白熱ランプであることが好適である。しかし、反寝台側照明１９は、ＬＥＤランプ等であってもよい。
【００５０】
また、反寝台側照明１９は、照明制御部１３による制御によって光量を調整することも可能である。
【００５１】
ここで、各照明手段１６乃至１９が三色発光のＬＥＤランプによって構成されていない場合、各照明手段１６乃至１９にカバーをかけることによって多種多様に照明の色を変えてもよい。特に、この場合は、検査中、被検者に安心感と開口部の広さを錯覚させるための場合、暖かみのある暖色系のカバーをかけて開口部内を照らすことが好ましい。また、特に被検者に開口部の奥行を錯覚させようとする場合、空間内側面照明１７にかけるカバーはグラデーションを用いて、反寝台側つまり被検者が挿入される側から見て奥に行くほど明るい色で開口部内を照らすようにしてもよい。
【００５２】
なお、本発明は上記実施例そのままに限定されるものではなく、実施段階ではその要旨を逸脱しない範囲で構成要素を変形して具体化できる。また、上記実施例に開示されている複数の構成要素の適宜な組み合わせにより、種々の発明を形成できる。実施例に示される全構成要素から幾つかの構成要素を削除してもよい。
【００５３】
本実施例では、各照明手段１６乃至１９全てを備えた例を用いて説明をしたが、空間内寝台側照明１６と反寝台側照明１９のみの組み合わせで実施してもよいし、空間内側面照明１７のみで実施してもよいし、空間内反寝台側照明１８と反寝台側照明１９のみの組み合わせで実施しても、被検者への安心感や快適感を向上させるという効果を得ることができる。
【００５４】
次に、ＭＲＩ装置を用いた一検査内の各過程に照明パターンを組み合わせて成る一検査内の照明パターン群の具体例を説明する。
【００５５】
図７は、ＭＲＩ装置を用いた一検査内の各過程に照明パターンを組み合わせて成る一検査内の照明パターン群の一例を示す図である。
【００５６】
図７は、図２を用いて説明したように、ＭＲＩ装置を用いた検査を、第１過程、第２過程、第３過程及び第４過程に分けた場合の各過程に、照明パターン設定部２１によって設定される照明パターンを組み合わせて成る一検査内の照明パターン群を例示している。なお、図７は、足部検査の場合を例示し、また、照明内容として光量のみを例示している。
［第１過程］
【００５７】
第１過程では、開口部全体を明るくすることが好適である。例えば、ＭＲＩ装置が照明手段１６乃至１９の全てを備える場合には、第１過程では、照明パターンの一例としての照明パターンＬ１によって照明手段１６乃至１９の全てを発光（点灯）させる。
【００５８】
第１過程において開口部全体を明るくすることで、被検者が入室した際に、ＭＲＩ装置に対する被検者の圧迫感や恐怖感を軽減することができる。
【００５９】
なお、第１過程において、ＭＲＩ装置が照明手段１６乃至１９の全てを備える場合の照明パターンは、照明パターンＬ１に限定されるものではない。
［第２過程］
【００６０】
第２過程では、開口部全体を明るくするか、反寝台側の開口部内と比較して寝台側の開口部内を明るくすることが好適である。例えば、ＭＲＩ装置が照明手段１６乃至１９の全てを備える場合には、開口部全体を明るくするために、照明パターンＬ１によって照明手段１６乃至１９の全てを発光させる。
【００６１】
また、例えば、ＭＲＩ装置が照明手段１６乃至１９の全てを備える場合には、反寝台側の開口部内と比較して寝台側の開口部内を明るくするために、照明パターンの一例としての照明パターンＬ２によって空間内寝台側照明１６を大きな光量にて発光させる一方、空間内側面照明１７、空間内反寝台側照明１８及び反寝台側照明１９を小さな光量にて発光させる。
【００６２】
又は、例えば、ＭＲＩ装置が照明手段１６乃至１９の全てを備える場合には、反寝台側の開口部内と比較して寝台側の開口部内を明るくするために、照明パターンの一例としての照明パターンＬ３によって空間内寝台側照明１６及び空間内側面照明１７のみを発光させる。
【００６３】
又は、例えば、ＭＲＩ装置が照明手段１６乃至１９の全てを備える場合には、反寝台側の開口部内と比較して寝台側の開口部内を明るくするために、照明パターンの一例としての照明パターンＬ４によって空間内寝台側照明１６、空間内側面照明１７及び空間内反寝台側照明１８のみを発光させる。
【００６４】
第２過程において開口部全体を明るくすることで、被検者が載置される天板の上昇時に、ＭＲＩ装置に対する被検者の圧迫感や恐怖感を軽減することができる。また、第２過程において反寝台側の開口部内と比較して寝台側の開口部内を明るくすることで、被検者が載置される天板の上昇時に、図１１にあるような影Ｓも生まれない。また、被検者の注意を反寝台側の開口部内ではなく、寝台側の開口部内に向けることができ、開口部の奥行から注意をそらすことが出来る。さらに、第２過程において照明パターンＬ３及びＬ４を採用することで、反寝台側照明１９をつけないことにより、図１１にあるような影Ｓがうまれることがなくなる。
【００６５】
なお、第２過程において、ＭＲＩ装置が照明手段１６乃至１９の全てを備える場合の照明パターンは、照明パターンＬ１乃至Ｌ４に限定されるものではない。
［第３過程］
【００６６】
第３過程では、寝台側の開口部内と比較して反寝台側の開口部内を明るくすることが好適である。例えば、ＭＲＩ装置が照明手段１６乃至１９の全てを備える場合には、照明パターンの一例としての照明パターンＬ５によって空間内寝台側照明１６、空間内側面照明１７、空間内反寝台側照明１８及び反寝台側照明１９の順に光量が大きくなるように発光させる。
【００６７】
又は、例えば、ＭＲＩ装置が照明手段１６乃至１９の全てを備える場合には、照明パターンの一例としての照明パターンＬ６によって空間内反寝台側照明１８を大きな光量にて発光させ、次いで空間内側面照明１７及び反寝台側照明１９を中程度の光量にて発光させ、空間内寝台側照明１６を小さな光量にて発光させる。なお、その場合、空間内寝台側照明１６は消灯させてもよい。
【００６８】
又は、例えば、ＭＲＩ装置が照明手段１６乃至１９の全てを備える場合には、照明パターンの一例としての照明パターンＬ７によって空間内寝台側照明１６及び空間内反寝台側照明１８を大きな光量にて発光させ、空間内側面照明１７及び反寝台側照明１９を小さな光量にて発光させる。
【００６９】
又は、例えば、ＭＲＩ装置が照明手段１６乃至１９の全てを備える場合には、照明パターンの一例としての照明パターンＬ８によって空間内反寝台側照明１８を大きな光量にて発光させ、空間内寝台側照明１６、空間内側面照明１７及び反寝台側照明１９を小さな光量にて発光させる。
【００７０】
第３過程において寝台側の開口部内と比較して反寝台側の開口部内を明るくすることで、被検者の挿入の際、寝台側の開口部より反寝台側の開口部内がより明るくなることによりサバンナ効果が生まれるので、被検者は開口部内の奥行を実際の奥行よりも短く錯覚することになる。
【００７１】
また、空間内側面照明１７を、ＬＥＤパネルをライン上に複数敷き詰める構成とし、天板の開口部への挿入の程度に従って、開口部の反寝台側から寝台側に向かってＬＥＤパネルを順々に光るように設定する。これにより、開口部内の反寝台側から寝台側に向かって広がりを持った空間であるように被検者を錯覚させることができる。さらに、色を視覚的に目立つ色にするようにして、被検者がその部分に集中して視線を送るようにしてもよい。
【００７２】
なお、第３過程において、ＭＲＩ装置が照明手段１６乃至１９の全てを備える場合の照明パターンは、照明パターンＬ５乃至Ｌ８に限定されるものではない。
［第４過程］
【００７３】
第４過程では、反寝台側の開口部内と比較して寝台側の開口部内を明るくしつつ、第３過程と比較して開口部内の反寝台側と寝台側との明暗を際立たせることが好適である。例えば、ＭＲＩ装置が照明手段１６乃至１９の全てを備える場合には、照明パターンの一例としての照明パターンＬ９によって空間内側面照明１７、空間内反寝台側照明１８及び反寝台側照明１９のみを被検者が眩しくない程度の光量にて発光させる。
【００７４】
又は、例えば、ＭＲＩ装置が照明手段１６乃至１９の全てを備える場合には、照明パターンの一例としての照明パターンＬ１０によって空間内側面照明１７及び反寝台側照明１９のみを被検者が眩しくない程度の光量にて発光させる。
【００７５】
第４過程において反寝台側の開口部内と比較して寝台側の開口部内を明るくしつつ、第３過程と比較して反寝台側の開口部内と寝台側の開口部内との明暗を際立たせることで、開口部の反寝台側だけを被検者が眩しくない程度に明るくしつつ、サバンナ効果によって被検者に開口部の奥行を実際よりも短く錯覚させることができる。
【００７６】
なお、第４過程において、ＭＲＩ装置が照明手段１６乃至１９の全てを備える場合の照明パターンは、照明パターンＬ９及びＬ１０に限定されるものではない。
【００７７】
ここで、一検査内の照明パターン群を採用して検査を行なうと、検査中、照明パターンが切替えられることになる。例えば、図７に示すような足部検査内の照明パターン群によると、照明パターンが３回切替えられることになる。この切替えは、検査中における入力部２５の操作で、照明パターンを手動的に行なうように構成してもよい。例えば、足部検査内の過程が第１過程から第２過程に移行した場合、操作者は入力部２５の切替えスイッチを１回押すことによって、照明パターンを、第１過程に適した照明パターン（例えば、照明パターンＬ１）から第２過程に適した照明パターン（例えば、照明パターンＬ２）に手動的に切替えるように構成する。
【００７８】
又は、例えば、足部検査内の過程が第１過程から第２過程に移行した場合、天板の位置の変化（天板の上下動や前後動）をＭＲＩ装置が認識することによって、照明パターンを、第１過程に適した照明パターンから第２過程に適した照明パターンに自動的に切替えるように構成する。
【００７９】
なお、予め設定される照明パターンによる照明中であっても被検者によって照明を消して欲しいという要望があればすぐに対応できるように全ての照明手段１６乃至１９を消灯させる機能を入力部２５にもたせてもよい。
【００８０】
ここで、図７では、照明内容としての光量を用いて各照明手段１６乃至１９の照明パターンを説明するが、同様に、照明内容としての発光色及び光り方を用いて各照明手段１６乃至１９の照明パターンを構成してもよい。
【００８１】
例えば、全体的に暖色系の発光色によって構成される照明パターンによって構成される照明パターン群と、全体的に寒色系の発光色によって構成される照明パターンによって構成される照明パターン群とを予め記憶部２０にそれぞれ記憶させておき、検査前に、操作者や被検者の希望によって暖色系又は寒色系を手動的に選択するように構成する。また、全体的に暖色系の発光色によって構成される照明パターンによって構成される照明パターン群と、全体的に寒色系の発光色によって構成される照明パターンによって構成される照明パターン群とを予め記憶部２０にそれぞれ記憶させておき、検査前に、被検者の患者情報、特に、国籍情報を基に、暖色系又は寒色系を自動的に選択するように構成する。
【００８２】
ここで、ＭＲＩ装置には、照明手段１６乃至１９の他、以下に説明する照明手段４０，５０及び６０のうち少なくとも１つを備えてもよい。
【００８３】
図８は、本実施例のＭＲＩ装置の支持部３１に備えられる照明手段を、開口部の寝台側から見た斜視図である。
【００８４】
図８に示すように、天板が挿入される支持部３１のレール２５上に、照明手段としてのレール上照明４０が備えられている。このレール上照明４０は、光源１５とは別の第２の光源を設けて光伝導部材をレール上にそって設置し、その上に透明もしくは半透明のカバーをかけて平らにし、第２の光源からの光を伝導させるようにしてもよい。また、レール２５上にＬＥＤを複数並べて配置し、同じようにその上に透明もしくは半透明のカバーをかけて平らに設置するようにしてもよい。なお、ＬＥＤを複数並べて配置した場合は、光り方にパターンを持たせて一度に全てが光るだけではなく、一部だけ光る又は順々に光るように制御するようにしてもよい。なお、レール２５上にかけるカバーは、色合いにグラデーションを持たせて設置してもよい。
【００８５】
レール上照明４０によって、開口部の天井部分が光ることにより、被検者は開口部の周囲を実際より広く錯覚することになる。また、天板が挿入されるにつれて、レール上照明４０が天板によって遮られることにより徐々に開口部が暗くなる。さらに、天板が全て挿入されるとレール上照明４０を消すようにし、電力の出力を抑えるようにする。
【００８６】
図９は、本実施例のＭＲＩ装置の開口部内のＲＦコイル５のカバーのテーパ部に設けられる照明手段を、開口部の寝台側から見た斜視図である。
【００８７】
図９に示すように、開口部内に設置されたＲＦコイルのカバーのテーパ部３３に、照明手段としてのテーパ部照明５０が備えられる。この、テーパ部照明５０は、光源１５とは別の第３の光源を設けて光伝導部材をテーパ部にそって設置し、第３の光源からの光を伝導させるようにしてもよいし、テーパ部にＬＥＤを複数並べて配置してもよい。なお、ＬＥＤを複数並べて配置した場合は、光り方にパターンを持たせて一度に全てが光るだけではなく、一部だけ光る又は順々に光るように制御するようにしてもよい。
【００８８】
テーパ部照明５０を光らせ、空間内反寝台照明１８と反寝台側照明１９を光らせる。テーパ部照明５０は、グラデーションを持たせて、支持部３１に近くなるほど明るく、遠くなるほど暗くなるようにしてもよいし。また、ＬＥＤランプを複数備えている場合には、パターンをもたせて個々のＬＥＤランプが光るようにしてもよい。
【００８９】
さらに、反寝台側照明１９にテーパ部照明５０を組み合わせて設けることによって、ＲＦコイル５のカバーによる段差の影Ｓを防ぐことができるので、影Ｓによる開口部の閉塞感を軽減することができる。
【００９０】
図１０は、本実施例のＭＲＩ装置の開口部内の壁の一部に設けられる残時間表示の照明手段を、開口部の反寝台側から見た斜視図である。
【００９１】
図１０に示すように、開口部内、例えば開口部を形成する壁に、照明を用いた残時間を表示する照明手段としての残時間表示照明６０が備えられる。残時間表示照明６０は、細いバー状であり、そのバーの光の増減によって残時間を表示する、又は、何色かの色の変化によって表示するようにしてもよい。
【００９２】
残時間表示照明６０を光らせて、被検者に検査の残時間を知らせる。残時間表示照明６０は、光のバーの長さ、つまりバー内の光の増減によって残時間を表示し、それを被検者が確認することで残時間が確認できる。又は、光が何色かあり、それが変化することによって被検者が残時間を確認するようにしてもよい。
【００９３】
なお、照明手段４０，５０及び６０の発光は、照明手段１６乃至１９による照明パターンと連動するように構成してもよい。
【００９４】
本実施例のＭＲＩ装置は、各照明手段１６乃至１９，４０，５０，６０のうち少なくとも１つにカバーをかけて光の色を変え、そのカバーが自在に取り外し付け替えることが出来るように構成してもよい。その場合、検査毎の被検者の好む照明の色に簡単に変えることができる。
【００９５】
さらに、本実施例のＭＲＩ装置は、検査中は被検者がまぶしく感じないように各照明手段１６乃至１９，４０，５０，６０を消す又は光量を抑えるように構成してもよい。その場合、被検者が落ち着いた状態で検査を受けることができる。
【００９６】
さらに、本実施例のＭＲＩ装置は、簡単な操作で照明の光量や光り方のパターンを変えることができ、被検者の要望にあわせてすぐに照明の状態を変えられるので、被検者に違和感や不安感を与えることを防ぐことが出来る。
【００９７】
なお、本実施例では、本発明に係る複数の具体例を挙げたが、本発明は、本実施例以外にも各照明手段１６乃至１９，４０，５０，６０の光量や光り方の組み合わせによって様々な実施例を持つことが出来る。
【符号の説明】
【００９８】
１  ガントリ
１３  照明制御部
１５  光源
１６  空間内寝台側照明
１７  空間内側面照明
１８  空間内反寝台側照明
１９  反寝台側照明
２０  記憶部
３１  支持部
３３  テーパ部
４０  レール上照明
５０  テーパ部照明
６０  残時間表示照明
【図１】
0005620969.tif 000002
【図２】
0005620969.tif 000003
【図３】
0005620969.tif 000004
【図４】
0005620969.tif 000005
【図５】
0005620969.tif 000006
【図６】
0005620969.tif 000007
【図７】
0005620969.tif 000008
【図８】
0005620969.tif 000009
【図９】
0005620969.tif 000010
【図１０】
0005620969.tif 000011
【図１１】
0005620969.tif 000012